(57)【要約】【課題】ユーザの自発的なアラーム設定作業がなくても、必要性の高い状況下で確実にアラームを機能させることができるアラーム自動設定システム、およびアラーム自動設定機能を有する携帯端末を提供せんとする。【解決手段】  携帯端末は、１０分おきに取得する現在位置情報を日時とともに登録し、前回の登録位置と比較して一定範囲内にあれば回数または継続時間を登録／更新し、継続時間が３０分を越えた場合は当該位置情報をユーザＩＤとともにサーバ装置に送信する。サーバ装置は、受信した位置情報およびユーザＩＤに基づき場所情報記憶部から当該位置に対応する場所属性コードを抽出し、これを返信する。携帯端末は、サーバ装置から受信した属性コードに基づき、予め登録された対応表を参照し、アラームの設定動作が必要であると判定し、アラーム設定および動作の制御がなされる。【選択図】図７
2008022138.tif 000002
【特許請求の範囲】
【請求項１】
位置情報を取得する位置情報取得手段、時間を計測する時計手段、所定条件でユーザに警報を行うためのアラーム手段、前記位置情報取得手段で取得される位置情報を蓄積する位置情報記憶手段、所定時間内の各位置情報が一定領域から出なかったときに、当該位置情報を通信回線を介してサーバ装置に送信する位置送信手段、並びに、サーバ装置から受信した当該位置に関する場所属性情報に基づき、前記アラーム手段の設定動作を制御するアラーム設定制御手段を備えた携帯端末と、
場所属性情報を位置情報とともに管理する場所情報記憶手段、前記携帯端末より受信した位置情報に基づき前記場所情報記憶手段を参照し、当該位置に対応した場所属性情報を抽出する場所属性情報抽出手段、並びに、抽出された場所属性情報を通信回線を介して前記携帯端末に送信する場所属性送信手段を備えたサーバ装置と、
よりなるアラーム自動設定システム。
【請求項２】
前記アラーム設定制御手段が、場所属性情報が示す場所が飲食店又はスポーツジムである場合にアラーム設定をオンにする請求項１記載のアラーム自動設定システム。
【請求項３】
前記アラーム手段が、位置情報取得手段により取得される現在位置が予め登録された目的駅位置から所定範囲の領域に入った条件でユーザに警報を行う乗り越し防止アラームである請求項１又は２記載のアラーム自動設定システム。
【請求項４】
位置情報を取得する位置情報取得手段、時間を計測する時計手段、所定条件でユーザに警報を行うためのアラーム手段、前記位置情報取得手段で取得される位置情報を蓄積する位置情報記憶手段、場所属性情報を位置情報とともに記憶する場所情報記憶手段、所定時間内の各位置情報が一定領域から出なかったときに、当該位置情報に基づき前記場所情報記憶手段を参照し、当該位置に対応した場所属性情報を抽出する場所属性情報抽出手段、並びに、抽出された場所属性情報に基づき、前記アラーム手段の設定動作を制御するアラーム設定制御手段を備えたことを特徴とするアラーム自動設定機能を有する携帯端末。
【請求項５】
前記アラーム設定制御手段が、場所属性情報が示す場所が飲食店又はスポーツジムである場合にアラーム設定をオンにする請求項４記載の携帯端末。
【請求項６】
前記アラーム手段が、位置情報取得手段により取得される現在位置が予め登録された目的駅位置から所定範囲の領域に入った条件でユーザに警報を行う乗り越し防止アラームである請求項４又は５記載の携帯端末。
【発明の詳細な説明】
【技術分野】
【０００１】
本発明は、携帯端末が備えるアラーム機能を必要な状況において確実に動作させることができるアラーム自動設定システムおよびアラーム自動設定機能を有する携帯端末に関する。
【背景技術】
【０００２】
電車やバスで帰宅する際に疲れや酒酔いにより居眠りし、目的駅を乗り過ごすことがあるが、このような乗り過ごしを防止するための乗り越し防止アラームとして、設定時刻になると警告音を発する時刻アラーム以外に、送受信部と入力部と記憶部と出力部とＣＰＵとを備え、現在位置取得機能を有する携帯端末を利用して、携帯端末を所持するユーザーの現在位置情報を定期的に取得し、予め目的駅リストを格納した記憶部から目的駅リストを取得し、目的駅リスト上の全ての目的駅について、順次、その位置情報を取得し、前記現在位置情報と比較して当該目的駅付近かどうか判定し、目的駅付近が見つかった場合には、目的駅付近であることをユーザーに通知するために出力部を動作させ、ユーザーが通知の停止操作をすると出力部の動作を停止させるようにしたものが提案されている（たとえば、特許文献１参照。）。
【０００３】
しかしながら、各種アラームも毎日動作させることは現実的でなく、深夜残業や飲み会の前に、事前にユーザ自身により設定しておく必要がある。しかしながら、これらの状況においては特に、このようなユーザの自発的なアラーム設定作業を期待することが困難であり、折角の機能も設定のし忘れにより必要性の高い状況下で確実に機能させることができないといった問題がある。
【０００４】
【特許文献１】特開２００５−８６７１８号公報
【発明の開示】
【発明が解決しようとする課題】
【０００５】
そこで、本発明が前述の状況に鑑み、解決しようとするところは、ユーザの自発的なアラーム設定作業がなくても、必要性の高い状況下で確実にアラームを機能させることができるアラーム自動設定システム、およびアラーム自動設定機能を有する携帯端末を提供する点にある。
【課題を解決するための手段】
【０００６】
本発明は、前述の課題解決のために、位置情報を取得する位置情報取得手段、時間を計測する時計手段、所定条件でユーザに警報を行うためのアラーム手段、前記位置情報取得手段で取得される位置情報を蓄積する位置情報記憶手段、所定時間内の各位置情報が一定領域から出なかったときに、当該位置情報を通信回線を介してサーバ装置に送信する位置送信手段、並びに、サーバ装置から受信した当該位置に関する場所属性情報に基づき、アラーム手段の設定動作を制御するアラーム設定制御手段を備えた携帯端末と、場所属性情報を位置情報とともに管理する場所情報記憶手段、前記携帯端末より受信した位置情報に基づき前記場所情報記憶手段を参照し、当該位置に対応した場所属性情報を抽出する場所属性情報抽出手段、並びに、抽出された場所属性情報を通信回線を介して前記携帯端末に送信する場所属性送信手段を備えたサーバ装置と、よりなるアラーム自動設定システムを構成した。
【０００７】
また本発明は、位置情報を取得する位置情報取得手段、時間を計測する時計手段、所定条件でユーザに警報を行うためのアラーム手段、前記位置情報取得手段で取得される位置情報を蓄積する位置情報記憶手段、場所属性情報を位置情報とともに記憶する場所情報記憶手段、所定時間内の各位置情報が一定領域から出なかったときに、当該位置情報に基づき前記場所情報記憶手段を参照し、当該位置に対応した場所属性情報を抽出する場所属性情報抽出手段、並びに、抽出された場所属性情報に基づき、アラーム手段の設定動作を制御するアラーム設定制御手段を備えたことを特徴とするアラーム自動設定機能を有する携帯端末をも構成した。
【０００８】
ここで、前記アラーム設定制御手段が、場所属性情報が示す場所が飲食店又はスポーツジムである場合にアラーム設定をオンにするものが好ましい。
【０００９】
また、前記アラーム手段が、位置情報取得手段により取得される現在位置が予め登録された目的駅位置から所定範囲の領域に入った条件でユーザに警報を行う乗り越し防止アラームであることが好ましい実施例である。
【発明の効果】
【００１０】
以上にしてなる本願発明によれば、携帯端末が所定時間の間、所定の範囲内から動かなかった場合に、その位置の場所属性を取得し、その属性に応じて、たとえば酒を振舞う店などに居ることが判明すれば、それに応じたアラームを自動的に設定することとしたので、ユーザの自発的なアラーム設定作業がなくても、必要性の高い状況を捕らえて、確実にアラームを機能させることができ、ユーザによるアラームの設定忘れによる乗り越し等を未然に回避することができる。
【００１１】
また、場所属性情報の取得は常時把握するのではなく、位置情報の滞在時間を測定して、必要なタイミングでサーバに問い合わせ等して把握することとしており、処理の効率化も図られる。
【００１２】
また、前記アラーム設定制御手段が、場所属性情報が示す場所が飲食店又はスポーツジムである場合にアラーム設定をオンにするので、自発的なアラーム設定作業を忘れやすい状況において、確実に設定を行うことができる。
【００１３】
また、前記アラーム手段が、位置情報取得手段により取得される現在位置が予め登録された目的駅位置から所定範囲の領域に入った条件でユーザに警報を行う乗り越し防止アラームであるので、自発的なアラーム設定作業を期待できない、例えば酒を振舞う店から帰るような状況やスポーツジムでトレーニングして帰宅するような状況において、目的駅を寝過ごすといったことを未然に回避できる。
【発明を実施するための最良の形態】
【００１４】
次に、本発明の実施形態を添付図面に基づき詳細に説明する。
【００１５】
図１は、本発明の第１実施形態に係るアラーム自動設定システムの全体構成を示す説明図であり、図１〜７は第１実施形態、図８および図９は第２実施形態を示し、図中符号１はサーバ装置、２は携帯端末をそれぞれ示している。
【００１６】
第１実施形態に係るアラーム自動設定システムＳは、図１に示すように、場所に関する情報を提供するサーバ装置１に対して、複数の携帯者（ユーザ）の携帯端末２，・・・が、通信回線Ｎを介して接続されている。
【００１７】
サーバ装置１は、図２に示すように、処理装置１０を中心に、記憶手段１１、通信回線に接続するための通信制御部１２が接続されたコンピュータからなり、処理装置１０は、マイクロプロセッサなどのＣＰＵを主体に構成され、図示しないＲＡＭ、ＲＯＭからなる記憶部を有して各種処理動作の手順を規定するプログラムや処理データが記憶される。
【００１８】
処理装置１０は、機能的には、携帯端末２より受信した位置情報に基づき、記憶手段１１の場所情報記憶部１１ａを参照し、当該位置に対応した場所属性情報を抽出する場所属性情報抽出部１０ａ、抽出された場所属性情報を通信回線を介して前記携帯端末２に返信する場所属性送信処理部１０ｂを備え、これら機能は上記プログラムにより実現される。
【００１９】
また、記憶手段１１は、場所属性情報を位置情報とともに記憶管理する場所情報記憶部１１ａを備えている。図４は場所情報記憶部１１ａの一例を示しており、ユーザごとに、携帯端末の電話番号であるユーザＩＤ、位置情報（経度／緯度）、店舗名称、属性コードなどが登録されている。属性コードは、たとえばバーや居酒屋などの酒類を提供する飲食店の場所が「００１」、酒類を提供しない飲食店の場所が「００３」、勤務先の会社の場所が「００５」などとして登録され、受信した当該ユーザの携帯端末の位置情報から該当する場所の名称、属性コード等が返信される。
【００２０】
一方、ユーザが携帯する携帯端末２は、図３に示すように、処理装置２０を中心に、記憶装置２１、ＧＰＳ受信器２２、時間を計測する時計部２３、アラーム作動時に携帯者に対して音や振動で警告を行う警報手段２４、無線にて通信回線に接続される通信制御部２５が接続された携帯型コンピュータであり、処理装置２０は、マイクロプロセッサなどのＣＰＵを主体に構成され、図示しないＲＡＭ、ＲＯＭからなる記憶部を有して各種処理動作の手順を規定するプログラムや処理データが記憶される。
【００２１】
処理装置２０は、機能的には、ＧＰＳ受信器２２により受信したＧＰＳ信号に基づき現在の位置情報を取得する位置情報取得部２０ａ、所定条件で警報手段２４を作動してユーザに警報を行うためのアラーム処理部２０ｂ、位置情報が一定時間、一定領域から出なかったときに、当該位置情報をユーザＩＤとともに通信制御部２５より通信回線を介してサーバ装置に送信して場所属性の問い合わせを行う位置送信処理部２０ｃ、サーバ装置から受信した当該位置に関する場所属性情報に基づきアラーム設定動作を制御するアラーム設定制御部２０ｄを備え、これら機能は上記記憶部のプログラムにより実現されることとなる。
【００２２】
なお、図４ではユーザＩＤごとに場所情報が登録され、ユーザがよく行く場所をサーバ装置に予め登録する例を挙げたが、地域あるいは全国の店舗等の位置、属性コードを共通のデータベースに登録しておき、各ユーザの携帯端末からの問い合わせに対して同データベースから名称、属性コードを抽出して返信するように構成してもよい。
【００２３】
アラーム設定制御部２０ｄは、受信した場所属性情報または現在の時刻に基づいて、アラーム設定の必要性を判定する。そして、アラーム設定が必要と判断されると、アラーム処理部２０ｂが作動する。本例のアラーム処理部２０ｂは、設定情報記憶部２１ｂに予め登録されている目的駅（電車等を下車する駅）の位置情報と、位置情報取得部２０ａにより取得される現在位置との離間距離が所定の値以下となった条件で警報手段２４を作動させ、電車等の乗り越しを未然に防止するためのアラームを機能させる。
【００２４】
このような携帯端末２は、具体的には電話機能を備えた携帯電話やその他のモバイル端末、専用端末であってもよい。また、記憶装置２１は、位置情報取得部２０ａで取得された位置情報が時刻とともに蓄積される位置情報記憶部２１ａと、目的駅（電車等を下車する駅）の位置情報やアラームに関する音量等の各種パラメータ、条件などの情報が格納される設定情報記憶部２１ｂとを少なくとも備えている。
【００２５】
図５は、位置情報記憶部２１ａを示す例であり、取得された位置情報（緯度／経度）が時刻とともに１０分ごとに記録されている。そして、位置送信処理部２０ｃは、位置情報が記録されるごとに、過去一定時間分の位置情報が一定領域から出なかったかどうか判定し、出なかった場合には上述のように位置情報をユーザＩＤとともにサーバ装置１へ送信する。
【００２６】
本例では一定時間として「３０分」、一定領域として経度及び緯度が「±０．０１度」の範囲と設定されており、１９時２０分００秒の位置を取得した段階で、過去３０分の位置がまったく変化していない。したがって、位置送信処理部２０ｃはこの段階で当該位置「３４．４１／１３５．２９」をユーザＩＤ「０９０１１・・・」を付してサーバ装置に送信し、場所の問い合わせの処理を行なうこととなる。
【００２７】
図６は、設定情報記憶部２１ｂを示す例であり、アラーム設定が為される際に用いる各種データが登録されている。本例では目的地としてＡ駅の位置が登録されており、アラーム種別「０１」の乗り越し防止アラームをオンすることにより、Ａ駅に対して緯度および経度が「±０．０２度」の範囲に入ったときに、音量レベル「０２」で一度警告音を発するように登録されている。また、本例では、アラーム種別「０２」の設定をオンすることにより、現在位置にかかわらず時刻２３時になると音量レベル「０４」で二度警告音を発することができるように設定されている。
【００２８】
そして、サーバ装置１から場所属性情報として、たとえば「００１」を受信すると、そのコードからアラーム設定制御部２０ｄは種別「０１」および「０２」のアラーム設定が必要と判定し、アラーム処理部２０ｂを作動させる。
【００２９】
なお、位置情報が登録された自宅の位置と一致した場合に「帰宅」と判断し、その時刻を毎日記録しておき、帰宅時刻が予め設定した時刻を超えた場合に、翌日の乗り越し防止アラームや時刻アラームの設定をより確実なもの、たとえば音量レベルを上げたり、警告回数を増加させたりすることが好ましい。
【００３０】
また、その後の位置滞在時間に応じて、設定内容の修正を行なうことが好ましい。たとえば最初の３０分の時点で上記アラーム「０１」「０２」を設定後、さらに所定時間、たとえば１時間を経過した時点で、各アラームの音量レベル、回数を増大させることが好ましい実施例である。このようにすれば、アラームが必要な場所に滞在している時間が長いほど、警告の必要性が増大するが、これに対応できることが可能となる。
【００３１】
以下、図７のフロー図に基づき、処理手順を説明する。
【００３２】
携帯端末２は、位置情報取得部２０ａにより定期的（１０分おき）に取得する現在位置情報を、図５に示すように日時とともに位置情報記憶部２１ａに登録する（Ｓ１０１）。位置情報が登録されると、位置送信処理部２０ｃが、前回の登録位置と比較して一定範囲内から動いていないかどうか判定し（Ｓ１０２）、範囲内にあれば回数または継続時間を登録／更新する（Ｓ１０３）。一定範囲内から出たと判定すれば、回数又は継続時間をクリアする（Ｓ１０４）。
【００３３】
継続時間を登録するとして、更新された継続時間が所定時間、たとえば３０分を越えたかどうか判定し（Ｓ１０５）、越えた場合は当該位置情報「３４．４１／１３５．２９」をユーザＩＤ「０９０１１・・・」とともにサーバ装置に送信して問い合わせを行う（Ｓ１０６）。
【００３４】
これを受けたサーバ装置１は、受信した位置情報およびユーザＩＤに基づき、図４に例示した場所情報記憶部１１ａのユーザ「０９０１１・・・」のテーブルから当該位置「３４．４１／１３５．２９」に対応する場所属性コード「００１」を抽出し（Ｓ１０７）、これを携帯端末２に返信する（Ｓ１０８）。このようにサーバ装置１は、登録されている複数の場所属性情報（居酒屋、会社などを識別する情報）から滞在している場所に関するものを特定して携帯端末２に返信する。
【００３５】
携帯端末２のアラーム設定制御部２０ｄは、サーバ装置から受信した属性コード「００１」に基づき、アラーム設定動作を制御する。具体的には、受信した場所属性コード「００１」により予め登録された対応表を参照し、アラーム種別「０１」の乗り越し防止アラーム、および「０２」の時刻を知らせるアラームの設定動作が必要であると判定する（Ｓ１０９）。
【００３６】
そして、アラーム処理部２０ｂにより図６に示すアラーム「０１」、「０２」の設定および動作の制御がなされる（Ｓ１１０）。すなわち、携帯端末２は、問い合わせた結果、携帯者が酒を振舞う店舗（居酒屋、Barなど）に滞在していることを判別でき、この場合に必要なものとして設定されている乗り越し防止アラームおよび時刻アラームを自動的にＯＮするのである。
【００３７】
なお、本例ではサーバ装置１が場所属性コードを返信して携帯端末側がこれに基づきアラーム設定を制御しているが、制御情報、たとえばアラーム種別「０１」、「０２」等のオン制御信号が場所属性情報に含まれることとしても良い。
【００３８】
次に、図８、９に基づき第２実施形態を説明する。
【００３９】
本実施形態は、サーバ装置１に場所属性情報を問い合わせをする代わりに、携帯端末内の記憶装置２１に場所情報記憶部２１ｃを設けて、携帯端末２内部で場所属性を把握可能としたものである。携帯端末２の装置構成は、基本的には第１実施形態の携帯端末と同様であり、図８に示すように、処理装置２０を中心に、記憶装置２１、ＧＰＳ受信器２２、時間を計測する時計部２３、アラーム作動時に携帯者に対して音や振動で警告を行う警報手段２４が接続されている。
【００４０】
処理装置２０は、第１実施形態と同様の位置情報取得部２０ａ、アラーム処理部２０ｂ、アラーム設定制御部２０ｄ以外に、所定時間内において位置情報が一定領域から出なかったときに、当該位置情報に基づき、場所情報記憶部１１ａを参照し、当該位置に対応した場所属性情報を抽出する場所属性情報抽出部２０ｅを備えている。
【００４１】
また、記憶装置２１についても、位置情報記憶部２１ａ、設定情報記憶部２１ｂ以外に、場所属性情報を位置情報とともに管理する場所情報記憶部２１ｃを備えている。この場所属性情報は、ユーザが操作する等により通信回線を通じて該情報を管理するサーバ装置から適宜ダウンロードして登録／更新できるようにすることが好ましい。
【００４２】
そして、処理手順については、図９に示すように、Ｓ２０５において継続時間が３０分を越えた場合に、位置情報「３４．４１／１３５．２９」に基づき、場所情報記憶部２１ｃから対応する場所属性コード「００１」を抽出し（Ｓ２０６）、アラーム設定制御部２０ｄが属性コード「００１」に基づきアラーム設定動作を制御する。その他は上記第１実施形態と同様である。
【００４３】
以上本発明の実施形態について説明したが、本発明はこうした実施例に何ら限定されるものではなく、本発明の要旨を逸脱しない範囲において種々なる形態で実施し得ることは勿論である。
【図面の簡単な説明】
【００４４】
【図１】本発明の第１実施形態に係るアラーム自動設定システムの全体システム構成を示す説明図。
【図２】同じく第１実施形態のサーバ装置の構成を示す説明図。
【図３】同じく第１実施形態の携帯端末の構成を示す説明図。
【図４】サーバ装置における場所情報記憶部の情報を示す説明図。
【図５】携帯端末における位置情報記憶部の情報を示す説明図。
【図６】携帯端末における設定情報記憶部の情報を示す説明図。
【図７】第１実施形態の処理手順を示すフロー図。
【図８】第２実施形態の携帯端末の構成を示す説明図。
【図９】第２実施形態の処理手順を示すフロー図。
【符号の説明】
【００４５】
Ｓ  アラーム自動設定システム
Ｎ  通信回線
１  サーバ装置
２  携帯端末
１０  処理装置
１０ａ  場所属性情報抽出部
１０ｂ  場所属性送信処理部
１１  記憶手段
１１ａ  場所情報記憶部
１２  通信制御部
２０  処理装置
２０ａ  位置情報取得部
２０ｂ  アラーム処理部
２０ｃ  位置送信処理部
２０ｄ  アラーム設定制御部
２０ｅ  場所属性情報抽出部
２１  記憶装置
２１ａ  位置情報記憶部
２１ｂ  設定情報記憶部
２１ｃ  場所情報記憶部
２２  受信器
２３  時計部
２４  警報手段
２５  通信制御部
【図１】
2008022138.tif 000003
【図２】
2008022138.tif 000004
【図３】
2008022138.tif 000005
【図４】
2008022138.tif 000006
【図５】
2008022138.tif 000007
【図６】
2008022138.tif 000008
【図７】
2008022138.tif 000009
【図８】
2008022138.tif 000010
【図９】
2008022138.tif 000011